(57)【要約】【課題】移動光だけに意識を集中させ過ぎることなく、押下準備と押下とを促す。【解決手段】鍵盤装置２０の上面に、固定表示部２１と移動表示部２２とが鍵に対応して設けられる。ＣＰＵ５は、演奏データに基づいて、発音開始前の音符に対応する移動光群Ｍを、対応する移動表示部２２に、演奏の進行に従って移動させながら表示させる。ＣＰＵ５はまた、移動光群Ｍの表示や移動に対応させて固定表示部２１の発光態様・消灯を制御する。移動光群Ｍが表示中となっている移動表示部２２に対応する固定表示部２１が低輝度で発光して固定光Ｓが表示され、発音開始タイミングになると、固定光Ｓの発光態様が高輝度に切り替わる。【選択図】図５
2017161565.tif 000002
【特許請求の範囲】
【請求項１】
複数の操作子の各々に対応して設けられた固定表示部と、
前記固定表示部の各々に対応して設けられた移動表示部と、
演奏データに基づいて、発音開始前の音符に対応する移動光を、対応する移動表示部に、演奏の進行に従って移動させながら表示させる制御手段と、を有し、
前記制御手段は、前記移動光が表示中となっている移動表示部に対応する固定表示部を第１の態様で発光させると共に、発音開始タイミングになると、前記固定表示部の発光態様を前記第１の態様とは異なる第２の態様に切り替えることを特徴とする操作支援装置。
【請求項２】
前記制御手段は、進行方向における前記移動光の長さを音符長に対応させ、前記移動表示部の表示開始位置から現れて表示終了位置を過ぎると消えるように前記移動光を移動させることを特徴とする請求項１に記載の操作支援装置。
【請求項３】
前記移動光の先頭部が前記表示終了位置を過ぎたときに発音開始タイミングとなり、
前記制御手段は、前記移動光の前記先頭部の発光態様を前記先頭部以外の発光態様と異ならせることを特徴とする請求項２に記載の操作支援装置。
【請求項４】
前記制御手段は、前記移動光における少なくとも先頭部以外の部分を、前記第２の態様による前記固定表示部の発光輝度よりも低輝度で発光させることを特徴とする請求項２に記載の操作支援装置。
【請求項５】
前記第１の態様による発光輝度よりも前記第２の態様による発光輝度の方が高いことを特徴とする請求項１〜４のいずれか１項に記載の操作支援装置。
【請求項６】
前記制御手段は、発音開始タイミングで開始させた前記固定表示部の発光を消音タイミングとなるまで継続することを特徴とする請求項１〜５のいずれか１項に記載の操作支援装置。
【請求項７】
前記固定表示部は、対応する操作子に近接して配置されることを特徴とする請求項１〜６のいずれか１項に記載の操作支援装置。
【請求項８】
前記移動表示部は、前記固定表示部に隣接することを特徴とする請求項１〜７のいずれか１項に記載の操作支援装置。
【請求項９】
複数の鍵を有する鍵盤と、
前記鍵盤の各鍵に対応して設けられた固定表示部と、
前記固定表示部の各々に対応して設けられた移動表示部と、
演奏データに基づいて、発音開始前の音符に対応する移動光を、対応する移動表示部に、演奏の進行に従って移動させながら表示させる制御手段と、を有し、
前記制御手段は、前記移動光が表示中となっている移動表示部に対応する固定表示部を第１の態様で発光させると共に、発音開始タイミングになると、前記固定表示部の発光態様を前記第１の態様とは異なる第２の態様に切り替えることを特徴とする鍵盤装置。
【発明の詳細な説明】
【技術分野】
【０００１】
本発明は、演奏データに基づいて光による演奏支援を行う操作支援装置、鍵盤装置に関する。
【背景技術】
【０００２】
従来、複数の鍵を有する鍵盤装置において、鍵または鍵に対応する部分を発光させることで光による演奏ガイド（演奏支援）等を行う操作支援装置が知られている。また、今回押下すべき鍵だけでなく今回以降に押下すべき鍵を報知するようにした装置も知られている。例えば、特許文献１の装置では、各鍵に対応する発光体を縦に並べて配置し、これから押下すべき各鍵に対応する発光が演奏進行と共に徐々に下降移動する。これによれば、下降する発光を見ることによって、演奏者はこれから押下すべき鍵の順序とタイミングとを把握できる。
【先行技術文献】
【特許文献】
【０００３】
【特許文献１】特開２００１−３４３８８８号公報
【発明の概要】
【発明が解決しようとする課題】
【０００４】
しかしながら、発光が下降を始めた段階では特に、発光の位置と鍵の位置とが離れているため、対応関係を視認しにくく、押下すべき鍵を特定するのが容易でない。特に、同時に移動してくる発光の数が多数となると視認すべき情報量が多くなり過ぎ、発光体への集中力の傾注が大きくなり過ぎて注意が散漫になる。特に、明るい発光が次々と移動してくる感覚は想像以上に強いプレッシャーを演奏者に与え、初心者にとっては演奏練習を楽しめず苦痛になるおそれもある。なお、同じ鍵を連続で押下する連弾の場合に、連弾とロングトーンとの区別が付きにくくなることを避けることが望まれる。
【０００５】
本発明は上記従来技術の問題を解決するためになされたものであり、その目的は、移動光だけに意識を集中させ過ぎることなく、押下準備と押下とを促すことである。
【課題を解決するための手段】
【０００６】
上記目的を達成するために本発明の請求項１の操作支援装置は、複数の操作子の各々に対応して設けられた固定表示部（２１）と、前記固定表示部の各々に対応して設けられた移動表示部（２２）と、演奏データに基づいて、発音開始前の音符に対応する移動光（Ｍ）を、対応する移動表示部に、演奏の進行に従って移動させながら表示させる制御手段（５）と、を有し、前記制御手段は、前記移動光が表示中となっている移動表示部に対応する固定表示部を第１の態様で発光させると共に、発音開始タイミングになると、前記固定表示部の発光態様を前記第１の態様とは異なる第２の態様に切り替えることを特徴とする。
【０００７】
上記目的を達成するために本発明の請求項９の鍵盤装置は、複数の鍵を有する鍵盤と、前記鍵盤の各鍵に対応して設けられた固定表示部と、前記固定表示部の各々に対応して設けられた移動表示部と、演奏データに基づいて、発音開始前の音符に対応する移動光を、対応する移動表示部に、演奏の進行に従って移動させながら表示させる制御手段と、を有し、前記制御手段は、前記移動光が表示中となっている移動表示部に対応する固定表示部を第１の態様で発光させると共に、発音開始タイミングになると、前記固定表示部の発光態様を前記第１の態様とは異なる第２の態様に切り替えることを特徴とする。
【０００８】
なお、上記括弧内の符号は例示である。
【発明の効果】
【０００９】
本発明の請求項１、９によれば、移動光だけに意識を集中させ過ぎることなく、押下準備と押下とを促すことができる。
【００１０】
請求項２によれば、押下継続期間を視覚的に事前に知らせることができる。請求項３によれば、押下開始タイミングを予測しやすくすることができる。また、鍵盤装置においては連弾とロングトーンとの区別を付けやすくすることができる。請求項４によれば、強いプレッシャーを演奏者に与えることがなく、主とした予告表示として移動光よりも固定光に注意を向けさせることができる。請求項５によれば、押下開始タイミングの到来を明確に視認させることができる。請求項６によれば、固定表示部にて離操作タイミングの到来を知らせることができる。請求項７によれば、押下予告されている操作子を視認させやすい。請求項８によれば、移動表示部と固定表示部との対応関係を視認させやすい。
【図面の簡単な説明】
【００１１】
【図１】一実施の形態に係る操作支援装置が適用される鍵盤装置の平面図である。
【図２】鍵盤装置の全体構成を示すブロック図である。
【図３】固定表示部及び移動表示部の表示状態の遷移図（図（ａ）〜（ｃ））である。
【図４】固定表示部及び移動表示部の表示状態の遷移図（図（ａ）〜（ｃ））である。
【図５】ガイドモード処理のフローチャートである。
【図６】変形例におけるガイドモード処理のフローチャートの一部（図（ａ））、変形例の鍵盤装置の模式的な側面図（図（ｂ））である。
【発明を実施するための形態】
【００１２】
以下、図面を参照して本発明の実施の形態を説明する。
【００１３】
図１は、本発明の一実施の形態に係る操作支援装置が適用される鍵盤装置の平面図である。この鍵盤装置２０は鍵盤楽器として構成され、複数の白鍵及び黒鍵から成る鍵盤ＫＢを有する。なお、鍵盤装置２０は、演奏入力を主な用途として発音機能を有しない鍵盤装置として構成してもよい。
【００１４】
詳細は後述するが、鍵盤装置２０は、演奏データに基づいて光による演奏支援を行う演奏支援装置としても利用される。押鍵すべき鍵を光により報知する演奏支援（演奏ガイド）のために、鍵盤装置２０の上面において、鍵盤ＫＢの後方（演奏者側を前側とする）に、固定表示部２１が設けられ、固定表示部２１の後方にはさらに移動表示部２２が設けられる。図１では、移動表示部２２、固定表示部２１の詳細構成については最高音の鍵に対応するものを主に図示して説明するが、他の鍵に対応する移動表示部２２、固定表示部２１も構成は同じである。固定表示部２１は、鍵盤ＫＢの各鍵に対応して設けられ、各々１つの発光部２３を有する。発光部２３は鍵の並び方向（左右方向）に一列に並ぶ。移動表示部２２は、各鍵に対応し、従って、固定表示部２１の各々に対応して設けられる。各々の移動表示部２２は、前後方向に一列に配列された複数（一例として９個）の発光部２４を有する。発光部２３は例えば複色ＬＥＤで構成される。発光部２４は単色（例えば、緑）の単色ＬＥＤで構成される。
【００１５】
図２は、鍵盤装置２０の全体構成を示すブロック図である。ＣＰＵ５には、バス１６を介して、検出回路３、検出回路４、ＲＯＭ６、ＲＡＭ７、タイマ８、表示部９、記憶装置１０、各種Ｉ／Ｆ（インターフェイス）１１、音源回路１３及び効果回路１４が接続される。演奏操作子１には、上記した鍵盤ＫＢの各鍵が含まれる。検出回路３は演奏操作子１の操作状態を検出し、検出回路４は設定操作子２の操作状態を検出する。
【００１６】
表示部９はＬＣＤ等で構成され、各種情報を表示する。ＣＰＵ５にはタイマ８が接続される。音源回路１３には効果回路１４を介してサウンドシステム１５が接続されている。各種Ｉ／Ｆ１１には、ＭＩＤＩ（Musical Instrument Digital Interface）Ｉ／Ｆ、通信Ｉ／Ｆが含まれる。ＣＰＵ５は、本装置全体の制御を司る。ＲＯＭ６は、ＣＰＵ５が実行する制御プログラムや各種テーブルデータ等を記憶する。ＲＡＭ７は、各種入力情報、各種フラグやバッファデータ及び演算結果等を一時的に記憶する。記憶装置１０は、例えば不揮発性のメモリであり、上記制御プログラムや各種楽曲データ、各種データ等を記憶する。音源回路１３は、演奏操作子１から入力された演奏データや予め設定された演奏データ等を楽音信号に変換する。効果回路１４は、音源回路１３から入力される楽音信号に各種効果を付与し、ＤＡＣ（Digital-to-Analog Converter）やアンプ、スピーカ等で構成されるサウンドシステム１５は、効果回路１４から入力される楽音信号等を音響に変換する。ＣＰＵ５は、検出回路３の検出結果に基づいて、音源回路１３及び効果回路１４を制御してサウンドシステム１５から音を発生させる。
【００１７】
本実施の形態では、光による演奏ガイドを実施するガイドモードを設定できる。ガイドモードでは、自動演奏データに基づいて演奏ガイドが行われる。用いられる演奏データは例えばＭＩＤＩデータであり、演奏データにおいては、発音・消音タイミングが音高別に規定され、さらに、運指情報として、弾く手（左右）を規定する情報が規定されている。練習曲が選択されると、ＣＰＵ５は、選択された練習曲の演奏データを読み出して、移動光群Ｍを表示させるために表示指示データを生成する。
【００１８】
図１に示すように、ガイドモードでは、移動表示部２２に移動光群Ｍが表示され、固定表示部２１に固定光Ｓが表示される。図１では、所定の時間内における発音開始前の音符に対応して５つの移動光群Ｍａ、Ｍｂ、Ｍｃ、Ｍｄ、Ｍｅが表示されている。移動光群Ｍは、演奏データに従って、現時点より後に押鍵すべき鍵を予告するための表示である。移動光群Ｍ用の表示指示データは、発光部２４の発光により実際に移動表示部２２に表示されるものだけでなく、発光部２４から外れて潜在的に存在する発光部も規定している。移動光群Ｍの移動及び発光態様、並びに固定光Ｓの発光態様の詳細例については、図３、図４で説明するが、図１で概略を説明する。
【００１９】
移動光群Ｍを構成する１つ以上の移動光ｍを、前方から順に移動光ｍ１、ｍ２・・と記す。移動光群Ｍａを例にとると、移動光ｍ１〜ｍ５が実際に表示状態にあるが、移動光ｍ６、ｍ７は潜在光として未表示となっている。本実施の形態では、ＣＰＵ５は、発光する発光部２４を段階的に前方へ遷移させることよって移動光ｍを移動させる。従って、発光する発光部２４が１つずつずれることで移動光群Ｍの全体が１段階移動する。移動光群Ｍは、演奏進行に従って前方へ進むので、移動光群Ｍは、移動表示部２２内における表示開始位置から現れて表示終了位置を過ぎると消える。表示開始位置は、移動表示部２２内の後端部であり、複数の発光部２４のうち最後端の発光部２４−Ｓが該当する。表示終了位置は、移動表示部２２内の前端部であり、複数の発光部２４のうち最前端の発光部２４−Ｅが該当する。移動表示部２２の表示終了位置は、固定表示部２１に隣接している。
【００２０】
移動光群Ｍの長さは、時間軸に対して可変長で表す場合、対応する音符長に応じて定まり、演奏テンポにも依存する。従って、演奏テンポが演奏データのデフォルトでなくユーザが設定した場合は、それに応じて移動光群Ｍの長さも変わる。また、時間軸に対して固定長とした場合は、移動光群Ｍの長さは一定で、演奏テンポに応じて移動する光りのスピードが変わる。
【００２１】
移動光群Ｍの長さは、本実施の形態では、実質的には、発光中の発光部２４と潜在的に存在する発光部の総数で規定される。移動光群Ｍのうち、先頭部となる移動光ｍ１が発音開始タイミングに対応し、後端部となる移動光ｍ（移動光群Ｍａでいうと移動光ｍ７）より発光部２４の１つ分（１段階）だけ後が、消音タイミングに対応している。なお、演奏データで規定される発音開始タイミング、消音タイミングがそれぞれ、演奏操作に関して押鍵開始タイミング、離鍵タイミングに対応する。移動光群Ｍｃは、移動光ｍとして先頭部となる１つの移動光ｍ１しか有しない。移動光群Ｍｃと移動光群Ｍｄとは対応する鍵が共通し、連弾の関係にある。
【００２２】
各々の移動光ｍは、発光部２４−Ｅで表示された次の段階（移動タイミング）で消える。例えば、発音開始タイミングで、移動光ｍ１が発光部２４−Ｅの位置から発光部２３の位置に仮想的に移動するタイミングで移動表示部２２から実質的に消える。発光輝度については、各移動光群Ｍにおいて、先頭部の移動光ｍ１は他の移動光ｍよりも輝度を高くして表示される。発光色については全ての移動光ｍで同一色（例えば緑色）とする。
【００２３】
一方、固定表示部２１においては、発光部２３が発光することで固定光Ｓが表示される。各々の鍵ごとに、移動表示部２２に移動光群Ｍの一部でも表示されると、対応する固定表示部２１も発光を開始して固定光Ｓが表示される。図１に示す例では、移動光群Ｍａ、Ｍｂ、Ｍｃ、Ｍｅは、それぞれ少なくとも一部が表示状態にあるので、それらに対応して固定光Ｓａ、Ｓｂ、Ｓｃ、Ｓｅが表示されている。なお、移動光群Ｍｄは移動光群Ｍｃと同じ鍵に対応しているので、図１に示す時点では固定光Ｓｃは移動光群Ｍｃに対応するものとして表示される。
【００２４】
発光輝度については、固定光Ｓは当初は低輝度（第１の態様）である。しかし、発光部２４−Ｅで表示されていた先頭部の移動光ｍ１が次の段階で消えるのと同時に、対応する固定光Ｓが高輝度（第２の態様）となる。すなわち、固定光Ｓは、押鍵予告の状態では輝度が低く、押鍵開始タイミングでは輝度が高くなる。その後、固定光Ｓは、消音タイミングが到来するまで発光を維持する。すなわち、固定光Ｓは、発光部２４−Ｅで表示されていた最後尾の移動光ｍが消えた次の段階（消音タイミング）で消える。ただしその段階で同じ鍵に対応する移動光群Ｍが表示される場合は、固定光Ｓは消えることなく発光輝度が元の低輝度に戻る。従って、移動光群Ｍｃが消えた時点で固定光Ｓｃは低輝度の固定光となる。
【００２５】
発光色については、左右で区別され、例えば、左手で押下すべき鍵に対応する固定光Ｓ（図１では固定光Ｓａ、Ｓｂ）は青、右手で押下すべき鍵に対応する固定光Ｓ（図１では固定光Ｓｃ、Ｓｅ）は赤となっている。発光輝度の比較として、先頭部以外の移動光ｍ＝低輝度の固定光Ｓ＜先頭部の移動光ｍ１＝高輝度の固定光Ｓという関係となっている。なお、発光輝度の設定はこの例に限定されるものではない。
【００２６】
図３（ａ）〜（ｃ）、図４（ａ）〜（ｃ）は、固定表示部２１及び移動表示部２２の表示状態の遷移図である。ＣＰＵ５は、演奏データに基づいて、発音開始前の音符に対応する移動光群Ｍを、対応する移動表示部２２に、演奏の進行に従って移動させながら表示させる。ＣＰＵ５はまた、移動光群Ｍの表示や移動に対応させて固定表示部２１の発光態様・消灯を制御する。
【００２７】
まず、図３（ａ）は、図１の状態から段階が１つ進んだ状態を示している。５つの移動光群Ｍａ、Ｍｂ、Ｍｃ、Ｍｄ、Ｍｅがそれぞれ、発光部２４の１つ分だけ前方に移動している。固定光Ｓａ、Ｓｂ、Ｓｃ、Ｓｅは低輝度のままである。図３（ａ）の状態から４段階進むと、図３（ｂ）に示すように、移動光群Ｍａ、Ｍｂ、Ｍｅの各先頭部の移動光ｍ１が移動表示部２２の表示終了位置から外れる（押鍵開始タイミングとなる）ため、固定光Ｓａ、Ｓｂ、Ｓｅが高輝度に切り替わる。図３（ｂ）の状態から２段階進むと、図３（ｃ）に示すように、移動光群Ｍｃの移動光ｍ１が表示終了位置から外れる（押鍵開始タイミングとなる）ため、固定光Ｓｃが高輝度に切り替わる。このとき、移動光群Ｍｅの最後尾の移動光ｍ２は既に表示終了位置から外れているため固定光Ｓｅは消灯されている。
【００２８】
図３（ｃ）の状態から４段階進むと、図４（ａ）に示すように、移動光群Ｍａの最後尾の移動光ｍ７が表示終了位置から外れてさらに１段階進んでいる（離鍵タイミングとなる）ため、固定光Ｓａは消灯される。一方、移動光群Ｍｂの最後尾の移動光ｍ７も表示終了位置から外れているが、移動光群Ｍｂと同じ鍵に対応する後続の移動光群Ｍｆが現れているため、固定光Ｓｂは低輝度の固定光Ｓｆに切り替わる。また、移動光群Ｍｃも表示終了位置から既に外れているが、後続の移動光群Ｍｄが現れているため、固定光Ｓｃは高輝度のまま維持される（呼称は固定光Ｓｄに替わる）。
【００２９】
図４（ａ）の状態から１段階進むと、図４（ｂ）に示すように、移動光群Ｍｇ、Ｍｈが新たに現れるため、それらに対応する固定光Ｓｇ、Ｓｈが低輝度で新たに表示される。図４（ｂ）の状態から４段階進むと、図４（ｃ）に示すように、移動光群Ｍｆの移動光ｍ１が表示終了位置から外れる（押鍵開始タイミングとなる）ため、固定光Ｓｆが高輝度に切り替わる。
【００３０】
以降、このような表示制御を実現する処理を、図５のフローチャートを用いて説明する。本装置の電源がオンにされると、不図示のメイン処理が実行される。このメイン処理ではまず、ＣＰＵ５は初期化を実行する。すなわちＣＰＵ５は、所定プログラムの実行を開始し、各種レジスタに初期値を設定する。次に、ＣＰＵ５は、パネル処理により、設定操作子２の操作を受け付け、機器の設定を実行する。このパネル処理では、ＣＰＵ５は、ガイドモード実施の可否の設定、練習する曲の選択、練習テンポの設定（手動の場合は任意の値、自動の場合は演奏データで規定される値）、選択曲の演奏データ読み出し等を実行する。次に、ＣＰＵ５は、演奏処理を実行する。この演奏処理では、ＣＰＵ５は、演奏データに基づいて演奏信号を生成し、生成された演奏信号に設定された効果処理を付加し、増幅して出力する。次に、ＣＰＵ５は、「その他処理」を実行する。その他処理では、ＣＰＵ５は、例えば、検出回路３の検出結果に基づいて、リアルタイム演奏処理を実行する。
【００３１】
図５は、ガイドモード処理のフローチャートである。このフローチャートにおける各処理は、ＣＰＵ５が、記憶装置１０またはＲＯＭ６に記憶されたプログラムをＲＡＭ７に読み出して実行することにより実現される。この処理は、設定された演奏テンポに応じた所定時間間隔で繰り返し実行される。この処理の実行間隔が、移動光群Ｍの移動の１段階に対応する。
【００３２】
まず、ステップＳ１０１では、ＣＰＵ５は、新たに移動表示部２２内に表示すべき移動光ｍがあるか否かを判別する。これは、現時点から時間Ｔ１（図１参照）経過後に発音開始タイミングが訪れる音符が存在するか否かによって判別される。時間Ｔ１は、設定された演奏テンポに応じた値である。ステップＳ１０１の判別の結果、新たに移動表示部２２内に表示すべき移動光ｍがない場合は、処理はステップＳ１０４に進む一方、新たに移動表示部２２内に表示すべき移動光ｍがある場合は、処理はステップＳ１０２に進む。ステップＳ１０２では、ＣＰＵ５は、表示すべき移動光ｍ１を発音開始タイミングとした場合の音符長に応じた長さの移動光群Ｍを表示させるための表示指示データを生成する。それと共に、ＣＰＵ５は、表示すべき移動光ｍを、表示開始位置（発光部２４−Ｓ）に先頭部の移動光ｍ１として表示させる。移動光ｍ１の発光輝度は、上述のように後続の移動光ｍよりも高い輝度である。
【００３３】
次に、ステップＳ１０３では、ＣＰＵ５は、表示させた移動光ｍ１に対応する固定表示部２１に固定光Ｓを低輝度で表示開始させる。これにより、演奏者は、移動光群Ｍだけでなく、手元により近い固定光Ｓを視認してこれから押下すべき鍵を認識できる。また、移動光群Ｍの移動光ｍ１の位置から押下のタイミングも予測できる。また、上述のように、ＣＰＵ５は、演奏すべき手によって固定光Ｓの発光色を異ならせる。これにより、用いるべき手を視認により確認できる。なお、ステップＳ１０３で、同じ鍵に対応する固定光Ｓが既に発光中であった場合は、発光態様を現状維持とする。ステップＳ１０４では、ＣＰＵ５は、表示中の移動光群Ｍに対応する音符が発音開始タイミングとなったか（移動光ｍ１が表示終了位置から外れるか）否かを判別する。その判別の結果、ＣＰＵ５は、表示中の移動光群Ｍに対応する音符が発音開始タイミングとなっていない場合は、処理をステップＳ１０６に進める一方、表示中の移動光群Ｍに対応する音符が発音開始タイミングとなった場合は、処理をステップＳ１０５に進める。
【００３４】
ステップＳ１０５では、ＣＰＵ５は、発音開始タイミングとなった音符に対応する固定光Ｓの輝度を高くする。これにより、押鍵開始タイミングが到来したことが報知される。ステップＳ１０６では、ＣＰＵ５は、表示中の移動光群Ｍに対応する音符が消音タイミングとなったか（１段階前に、最後尾の移動光ｍが表示終了位置（発光部２４−Ｅ）から外れたか）否かを判別する。その判別の結果、ＣＰＵ５は、表示中の移動光群Ｍに対応する音符が消音タイミングとなっていない場合は、処理をステップＳ１１０に進める一方、表示中の移動光群Ｍに対応する音符が消音タイミングになった場合は、処理をステップＳ１０７に進める。
【００３５】
ステップＳ１０７では、ＣＰＵ５は、今回消音タイミングになった音符と同一音高の音符に対応する他の移動光群Ｍの先頭部の移動光ｍ１が表示中であるか否かを判別する。その判別の結果、上記同一音高の音符に対応する他の移動光群Ｍの先頭部の移動光ｍ１が表示中でない場合は、予告表示が不要であるので、ＣＰＵ５は、上記消音タイミングになった音符に対応する固定光Ｓを消灯させ（ステップＳ１０８）、処理をステップＳ１１０に進める。一方、上記同一音高の音符に対応する他の移動光群Ｍの先頭部の移動光ｍ１が表示中である場合は、次の押鍵のための予告表示が必要であるので、ＣＰＵ５は、上記消音タイミングになった音符に対応する固定光Ｓの発光輝度を元の低輝度に戻し（ステップＳ１０９）、処理をステップＳ１１０に進める。ステップＳ１１０では、ＣＰＵ５は、現在表示中の移動光群Ｍの全てを一斉に前方へ１段階進める。その際、ＣＰＵ５は、各移動光群Ｍにおいて移動光ｍ１に後続する移動光ｍについては発光輝度を移動光ｍ１よりも低くする。すなわち、潜在的な移動光ｍについては、表示開始位置（発光部２４−Ｓ）に低輝度で表示させる。その後、図５の処理は終了する。
【００３６】
本実施の形態によれば、移動光群Ｍが表示中となっている移動表示部２２に対応する固定表示部２１が低輝度で発光して固定光Ｓが表示されるので、演奏者は主として低輝度の固定光Ｓを押鍵予告として参考にでき、移動光群Ｍだけに意識を集中させ過ぎることなく、押鍵準備を促すことができる。また、発音開始タイミングになると、固定光Ｓの発光態様が高輝度に切り替わるので、押鍵開始タイミングの到来を明確に視認させ、発音開始タイミングで押鍵を促すことができる。
【００３７】
また、進行方向における移動光群Ｍの長さを音符長に対応させ、表示開始位置から現れて表示終了位置を過ぎると消えるように移動光群Ｍが移動するので、押鍵継続期間を視覚的に事前に知らせることができる。
【００３８】
また、移動光群Ｍの先頭部（移動光ｍ１）が表示終了位置を過ぎたときに発音開始タイミングとなり、移動光ｍ１の発光輝度が他の移動光ｍよりも高いので、押鍵開始タイミングを予測しやすくすることができる。また、連弾とロングトーンとの区別を付けやすくすることができる。特に、移動光群Ｍにおける少なくとも先頭部以外の部分である移動光ｍの発光輝度は、高輝度で発光する固定光Ｓの発光輝度よりも低いので、強いプレッシャーを演奏者に与えることがなく、主とした予告表示として移動光群Ｍよりも固定光Ｓに注意を向けさせることができる。また、発音開始タイミングで開始した固定光Ｓの発光は消音タイミングとなるまで継続するので、固定表示部２１にて離鍵タイミングの到来を知らせることができる。
【００３９】
また、固定表示部２１は、対応する鍵に近接して配置されるので、押鍵予告されている鍵を視認させやすい。さらに、移動表示部２２の表示終了位置は、固定表示部２１に対して前後方向において隣接するので、移動表示部２２と固定表示部２１との対応関係を視認させやすい。
【００４０】
なお、本実施の形態では、ガイドモードにおいては演奏者の演奏の適否を考慮せず、演奏データに従って、ガイドを進行させていった。しかし、図６（ａ）に変形例を示すように、演奏者の押鍵を待ってからガイドを進行させるようにしてもよい。図６（ａ）は、変形例におけるガイドモード処理のフローチャートの一部を抜粋した図である。具体的には、図５のフローチャートに対し、ステップＳ１０５とステップＳ１０６との間にステップＳ２０１を挿入する。ステップＳ２０１では、ＣＰＵ５は、ステップＳ１０４で発音開始タイミングとなったと判別された音符に対応する鍵を演奏者が適正に押下するまでウェイト（停止）する。演奏者が適正に押鍵すると処理はステップＳ１０６へ進む。
【００４１】
なお、移動表示部２２と固定表示部２１との対応関係を視認させやすくする観点からは、移動表示部２２と固定表示部２１とが同じ方向を向くことは必須でない。例えば、図６（ｂ）に変形例を示す。図６（ｂ）は、変形例の鍵盤装置２０の模式的な側面図である。鍵盤装置２０の後半部上面に移動表示部２２を設けるが、固定表示部２１は、移動表示部２２の前方において前側を向いた段差部に設ける。この構成であっても、移動表示部２２と固定表示部２１との対応関係は明瞭である。なお、この変形例に限定されず、移動表示部２２と固定表示部２１とが必ずしも隣接せず離れる構成であっても、両者間に互いの繋がりを想起させる形状的または視覚的な工夫を設けるようにしてもよい。
【００４２】
なお、固定光Ｓの発光態様は、予告段階と発音開始タイミングとで異ならせ、予告段階には低輝度（第１の態様）、発音開始タイミングでは高輝度（第２の態様）としたが、発光の態様を異ならせればよく、輝度による違いに限られない。例えば、発光色の違い、あるいは点滅の有無や点滅の速度による違いであってもよい。第１の態様よりも第２の態様の方が目立つのが望ましい。なお、固定光Ｓは、離鍵タイミングに向かって徐々に輝度を低下させていってもよい。
【００４３】
なお、移動光群Ｍは先頭部の移動光ｍ１だけを高輝度としたが、他の移動光ｍとの発光態様の違いについても、固定光Ｓの発光態様の違いと同様に応用してもよい。また、移動光群Ｍについては、移動光ｍ１と他の移動光ｍとを同じ発光態様とする構成は除外されない。あるいは、移動光群Ｍは、音符長にかかわらず、先頭部の移動光ｍ１だけで構成されるとしてもよい。また、先頭部の移動光ｍ１の進行方向前方にも移動光ｍを設ける構成も除外されない。
【００４４】
なお、弾く手（左右）により発光色を変えることに関しても、発光態様を異ならせることについては、発光色に限られず、輝度、点滅の有無や点滅の速度による違いであってもよい。また、弾く手によって発光態様を異ならせる構成は必須でない。
【００４５】
なお、移動光群Ｍの移動光ｍ及び固定光Ｓの表示は、ＬＥＤである発光部２３、２４の発光によるという構成を採用したが、これに限られず、形状も円形に限定されない。例えば、液晶表示器を採用し、適切な面積の表示により移動光群Ｍ及び固定光Ｓを表示させてもよい。その場合、移動光群Ｍは、より細かな動きを実現できる。
【００４６】
なお、本発明の適用は、鍵盤装置における演奏支援に限定されず、操作子の押下操作を練習する装置にも適用できる。例えば、鍵をコントロールスイッチとして利用し、シーケンス動作を練習させる操作支援装置としても構成できる。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４８】
５  ＣＰＵ（制御手段）、  ２０  鍵盤装置、  ２１  固定表示部、  ２２  移動表示部、  ２３、２４  発光部、  ２４−Ｓ  発光部（表示開始位置）、  ２４−Ｅ  発光部（表示終了位置）、  Ｍ  移動光群、  Ｓ  固定光、  ＫＢ  鍵盤、  ｍ  移動光
【図１】
2017161565.tif 000003
【図２】
2017161565.tif 000004
【図３】
2017161565.tif 000005
【図４】
2017161565.tif 000006
【図５】
2017161565.tif 000007
【図６】
2017161565.tif 000008